(57)【特許請求の範囲】
【請求項１】
無線ネットワーク制御局（ＲＮＣ）と、ベースバンド信号処理を実行する複数のメインユニット（ＭＵ）とベースバンドと無線周波数との間での変換を行い１つ以上のアンテナにより信号を送受信する１つ以上の無線リモートユニット（ＲＲＵ）とから構成される無線基地局（ＲＢＳ或いはノードＢ）とを備えたアクセスネットワークと、複数のカバーリングセルと、移動し別のセルに徐々に近づく１つ以上のユーザ機器（ＵＥ或いは電話）とを有し、前記ネットワークは前記１つ以上のユーザ機器を認識しており、ハンドオーバ処理を開始し、前記ハンドオーバ処理の間には呼が１つのセルから前記無線基地局（ＲＢＳ或いはノードＢ）内の別のセルに、或いは前記ネットワークの別の無線基地局のセルに転送される通信システムにおける方法であって、
前記ハンドオーバ処理は、同じレイク受信機を用いて互いにソフタハンドオーバを実行可能な前記無線リモートユニット（ＲＲＵ）のリスト（ソフタハンドオーバグループ）を用い、
前記ハンドオーバ処理は前記リストからの選択に従って実行され、
前記ハンドオーバは、
・新しいセルが前記リスト（ソフタハンドオーバグループ）内にある場合、前記ユーザ機器（ＵＥ或いは電話）により用いられる別のセルとしてソフタハンドオーバが前記無線基地局に対して正常なものとして開始され、
・新しいセルが前記リスト（ソフタハンドオーバグループ）内にない場合、前記ユーザ機器（ＵＥ或いは電話）により用いられる別のセルとしてソフトハンドオーバが前記無線ネットワーク制御局或いは無線基地局に対して開始されるように実行されることを特徴とする方法。
【請求項２】
前記無線基地局（ＲＢＳ）における前記ソフタハンドオーバは、別々のレイク受信機との第２ステージの最大率での結合、或いは別々のレイク受信機との選択結合であることを特徴とする請求項１に記載の方法。
【請求項３】
前記２つの場合の間の選択は、無線ネットワーク制御局からのサポートがあってなされるか、或いは前記無線基地局（ＲＢＳ）で局部的になされることを特徴とする請求項１に記載の方法。
【請求項４】
前記リスト（ソフタハンドオーバグループ）はユーザ機器（ＵＥ）で測定された遅延からつくられることを特徴とする請求項１に記載の方法。
【請求項５】
受信時間の差は無線ネットワーク制御局（ＲＮＣ）或いは無線基地局により用いられ、他のアクティブセルと比較して、前記新しいアンテナと前記ユーザ機器との間の相対的な伝播遅延を計算することを特徴とする請求項４に記載の方法。
【請求項６】
前記無線ネットワーク制御局（ＲＮＣ）は前記測定に基づいて、前記リスト（ソフタハンドオーバグループ）に前記新しいセルを含めることができ、或いは
もし、前記無線ネットワーク制御局（ＲＮＣ）が影響を受けないなら、前記測定は前記無線基地局（ＲＢＳ）に転送され、前記無線基地局（ＲＢＳ）がこの決定を行なうことを特徴とする請求項４に記載の方法。
【請求項７】
人工的な遅延が前記無線基地局（ＲＢＳ）内で保存され、前記２つのアンテナからの２つの信号がレイクウィンドウ内で受信されソフタハンドオーバが実行されるようにできることを特徴とする請求項１に記載の方法。
【請求項８】
遅延等化（equalisation）機能は、前記受信機／アンテナと前記レイク受信機との間のデジタル遅延を全ての受信機／アンテナに対して同じにすることを特徴とする請求項７に記載の方法。
【請求項９】
前記遅延は成功するソフタハンドオーバの数を最大にするように最適化されることを特徴とする請求項１又は７に記載の方法。
【請求項１０】
前記遅延は前記関係するＲＲＵ間の成功したハンドオーバの履歴のＵＥにより測定された遅延を評価することにより決定されることを特徴とする請求項９に記載の方法。
【発明の詳細な説明】
【技術分野】
【０００１】
本発明は、無線ネットワーク制御局（ＲＮＣ）と、ベースバンド信号処理を実行する複数のメインユニット（ＭＵ）とベースバンドと無線周波数との間での変換を行い１つ以上のアンテナにより信号を送受信する１つ以上の無線リモートユニット（ＲＲＵ）とから構成される無線基地局（ＲＢＳ或いはノードＢ）とを備えたアクセスネットワークと、複数のカバーリングセルと、移動し別のセルに徐々に近づく１つ以上のユーザ機器（ＵＥ或いは電話）とを有し、そのネットワークは１つ以上のユーザ機器を監視し、それからハンドオーバ処理を開始し、そのハンドオーバ処理の間には呼が１つのセルから無線基地局（ＲＢＳ或いはノードＢ）内の別のセルに、或いは通信ネットワークの別の無線基地局（ＲＢＣ或いはノードＢ）のセルに転送される通信システムにおける方法に関するものである。
【背景技術】
【０００２】
セルラ通信システムにおける従来の無線基地局は、一般に１つの場所に位置し、ベースバンド回路と無線回路との間の距離は相対的に短く、例えば、１ｍのオーダ程度である。ＲＦフィーダの減衰は大きいので、アンテナは無線回路の近く、例えば、２０〜１００ｍのオーダ程度のところにマウントされる。それ故に、従来の無線基地局のアンテナシステムは地理的に限定された領域に、通常は、同じマスト或いは同じ屋上にマウントされる。メイン−リモート設計として言及される分散型基地局の設計では、基地局のベースバンドの部分と無線部分とを分離する。そのメインユニット（ＭＵ）はベースバンド信号処理を実行し、１つ以上の無線リモートユニット（ＲＲＵ）はベースバンドと無線周波数との間での変換を行い、１つ以上のアンテナにより信号を送受信する。対応する光リンクはメインユニットを複数の無線リモートユニットの夫々に接続する。
【０００３】
メインリモートベースは単一のキャビネットにＲＢＳの構成要素を設置することの代替案であり、サイズとコストとが、一例として、各セルに、無線送信に実際に必要な要素（ここではＲＦ構成要素として言及される）だけを設置することにより削減できる。
【０００４】
ＷＣＤＭＡネットワークにおいて、デジタル処理のためのメインユニットと無線処理のための多数のリモート無線ユニットとを有する基地局システムがある。各リモートユニットは１つの搬送波を有し、メインユニットから最大１５ｋｍ離れても設置できる。接続は光ケーブル或いは同軸ケーブルを経由して行なう。これに対応して、メインリモートＲＢＳのアンテナシステムはそれ故に巨大な地理的な領域にわたって拡がる。
【０００５】
そのようなシステムの一例が特許文献１に記載されている。
【０００６】
当然のことであるが、ハンドオーバがこの種のネットワークではなされ、ハンドオーバとは呼を１つのセルから別のセルへと転送する処理のことである。これは電話が移動するときに呼を継続させるために必要である。伝統的に、ハンドオーバには３つの共通タイプがある。即ち、ハード、ソフト、アイドルである。ハンドオーバのタイプはハンドオーバの状態に依存する。
【０００７】
ソフトハンドオーバでは、古いＲＢＳとの接続を切断するのに先立って、新しいＲＢＳ（ノードＢとも呼ばれる）との接続を確立する。このことは、ＷＣＤＭＡセルは同じ周波数を用い、そして、移動局がレイク受信機を用いているために可能である。
【０００８】
移動局はハンドオーバにおいてネットワークをアシストする。移動局はそれが隣のカバレッジ領域に移動するときに新しいパイロット信号を検出する。新しい基地局はその時、その移動局との接続を確立する。この新しい通信リンクが確立される一方、移動局は古いＲＢＳとのリンクも維持する。
【０００９】
ソフタハンドオーバが同じＲＢＳの２つのセクタ間で発生する。ＲＢＳは各セクタからの音声信号を復号化し結合し、その結合された音声フレームをＲＮＣに転送する。
【００１０】
前記メインリモートアーキテクチュアの興味深い展開は、例えば、ハイウェイに沿って３０ｋｍ離れ互いに向かい合った２つの無線リモートユニット（ＲＲＵ）をマウントすることである。これは安価なハイウェイカバレッジを与えるものとなる。
【００１１】
従来技術で述べたように、ソフタハンドオーバは常にＲＢＳ内のセル／ＴＲＸ間で用いられる。ＭＳは強いＣ−ＰＩＣＨをもっていることをレポートし、ＲＮＣはそれが同じＲＢＳから発せられるものであることに気づき、ＲＢＳにソフタハンドオーバを行なうよう命令する。
【００１２】
ＲＢＳのレイク受信機は限定的なウィンドウをもち、そこで（やがて）ＵＥアップリンク信号を受信する。ウィンドウの外側に落ちるいずれの信号も破棄され、それは干渉を生じさせる。
【００１３】
共通の場所に設置されたアンテナをもつＲＢＳでは、このことは問題とならない。ＵＥにとって２つのアンテナに対する伝播遅延差は最小限度に留まり、それはわずか１０〜５０ｍ程度である。また、受信機部分には遅延差の可能性があるが、その差はわすか１００ｍ程度のオーダに過ぎない。また、後者の差を補償するための機構がＲＢＳ内にもある。
【００１４】
分散した受信機をもつＲＢＳでは、伝播遅延は２つのアンテナに対して非常に異なるかもしれない。もし、それらのアンテナが３０ｋｍ離れており、ＭＳが第１のアンテナから１０ｋｍで、そして第２のアンテナから２０ｋｍでソフタハンドオーバを要求したなら、その伝播遅延の差は１０ｋｍにも相当するであろう。
【００１５】
また、受信機部分から共通レイク受信機までの通信は異なるケーブル長のために異なる遅延を被る。このケーブリングに依存して、これは容易に最大何ｋｍにも相当するエア伝播遅延を付け加えるものとなるであろう。
【００１６】
ケーブル遅延の差とエアー伝播遅延の差の最悪のケースが同じ構成で生じないかもしれないことに気づくべきである。
【００１７】
（アンテナ１とアンテナ２に対する）２つの異なるＵＥ信号は、現在の実施形においてレイク受信機では容易にウィンドウの＋／−３ｋｍを越えた遅延が生じてしまう結果になることは明らかである。
【００１８】
シミュレーションはこれにより呼が失われる危険性は上述のようなハイウェイカバレッジの解決策に関して（以下に述べる等しい遅延校正を既に含めて）約７％であることを示している。
【特許文献１】米国特許第５，７６１，６１９号
【発明の開示】
【発明が解決しようとする課題】
【００１９】
本発明の１つの目的は、分散した無線ユニットを有したシステムにおける改善したハンドオーバの方法を提供することである。
【００２０】
本発明の第２の目的は、１つのＲＲＵカバレッジ領域から別の領域へと移動するＵＥが到着するＲＲＵへと、伝統的なセル構造をもつときになされるのと同じ安全な方法でハンドオーバされるべき方法を提供することである。
【００２１】
本発明の第３の目的は、ＲＢＳにおいてソフタハンドオーバを実行する、受信機のための方法を提供することである。
【００２２】
また更なる目的は、ハンドオーバが可能である領域までの距離に基づいてレイク受信機に対するデジタル転送の遅延校正を成しとけることである。
【課題を解決するための手段】
【００２３】
本発明の第１の側面からすれば、無線ネットワーク制御局（ＲＮＣ）と、ベースバンド信号処理を実行する複数のメインユニット（ＭＵ）とベースバンドと無線周波数との間での変換を行い１つ以上のアンテナにより信号を送受信する１つ以上の無線リモートユニット（ＲＲＵ）とから構成される無線基地局（ＲＢＳ或いはノードＢ）とを備えたアクセスネットワークと、複数のカバーリングセルと、移動し別のセルに徐々に近づく１つ以上のユーザ機器（ＵＥ或いは電話）とを有し、前記ネットワークは前記１つ以上のユーザ機器を監視しており、それからハンドオーバ処理を開始し、そのハンドオーバ処理の間には呼が１つのセルから前記無線基地局（ＲＢＳ或いはノードＢ）内の別のセルに、或いは前記通信ネットワークの別の無線基地局（ＲＢＳ或いはノードＢ）のセルに転送される通信システムにおける方法が備えられる。
【００２４】
−前記ハンドオーバ処理は、同じレイク受信機を用いて互いにソフタハンドオーバを実行可能な前記複数の無線リモートユニット（ＲＲＵ）のリスト（ソフタハンドオーバグループ）を含むメモリと相互作用する。
【００２５】
−前記ハンドオーバ処理は前記リストからの選択に従って実行され、そして前記ハンドオーバは、次の事柄に従って実行される。
【００２６】
・もし、新しいセルが、ユーザ機器（ＵＥ或いは電話）により用いられる別のセルとして前記リスト（ソフタハンドオーバグループ）内にあるなら、ソフタハンドオーバが無線基地局に対して正常なものとして開始される。
【００２７】
・もし、新しいセルが、ユーザ機器（ＵＥ或いは電話）により用いられる別のセルとして前記リスト（ソフタハンドオーバグループ）内にないなら、ソフトハンドオーバが無線ネットワーク制御局或いは無線基地局において開始される。
【００２８】
−前記無線基地局（ＲＢＳ）におけるソフトハンドオーバは、別々のレイク受信機との第２ステージの最大率での結合、或いは別々のレイク受信機との選択結合である。
【００２９】
−前記２つの場合の間の選択は、無線ネットワーク制御局からのサポートがあってなされるか、或いは前記無線基地局（ＲＢＳ）で局部的になされる。
【００３０】
−前記リスト（ソフタハンドオーバグループ）はユーザ機器（ＵＥ）の測定された遅延からつくられる。
【００３１】
−受信時間の差は無線ネットワーク制御局（ＲＮＣ）或いは無線基地局により用いられ、他のアクティブセルに比較して、新しいアンテナとユーザ機器との間の相対的な伝播遅延を計算する。
【００３２】
−前記無線ネットワーク制御局（ＲＮＣ）はこの測定に基づいて、前記リスト（ソフタハンドオーバグループ）に前記新しいセルを含めることができ、或いは、もし、前記無線ネットワーク制御局（ＲＮＣ）が影響を受けないなら、前記測定は前記無線基地局（ＲＢＳ）に転送され、前記無線基地局（ＲＢＳ）がこの決定を行なう。
【００３３】
−人工的な遅延が前記無線基地局（ＲＢＳ）内で保存され、前記２つのアンテナからの２つの信号がレイクウィンドウ内で受信されソフタハンドオーバが実行されるようにできる。
【００３４】
−遅延等化（equalisation）機能は、受信機／アンテナとレイク受信機との間のデジタル遅延を全ての受信機／アンテナに対して同じにする。
【００３５】
−前記遅延は成功するソフタハンドオーバの数を最大にするように最適化される。
【発明の効果】
【００３６】
発明の利点は、まず第一に、メインリモート原理に従う分散システムにおけるセル間の安全なハンドオーバを行なうことができる点にある。
【００３７】
たとえ複数のアンテナが、遅延が従来技術に従うハンドオーバをやっかいなものにさせる地理的な環境に置かれるときであっても、ハンドオーバ処理は効果的である。
【００３８】
本発明が解決する課題は、２つのＲＲＵからのＲＮＣに至るまでのデータを分離することにより解決されるかもしれない。明らかに、これはベースバンドや送信資源の点からは非常に効率的ではない。このため、本発明はまた利点がある。
【発明を実施するための最良の形態】
【００３９】
本発明の実施例について、添付図面を参照して説明する。
【００４０】
本発明の理解を容易にするために、本願明細書で用いられている記号の説明が以下に述べられている。
【００４１】
ＲＮＣ      無線ネットワーク制御局
ＲＢＳ      無線基地局
ノードＢ    ＷＣＤＭＡにおける無線基地局
ＷＣＤＭＡ  広帯域符号分割多元接続
ＵＥ        ユーザ機器
ＭＵ        メインユニット
ＲＲＵ      無線リモートユニット
【００４２】
図１には、ＭＵとハイウェイをカバーする各ＲＲＵに接続された２つのアンテナとが示されている。このことは、メインリモートコンセプトを用いるとき好適である解決策である。アンテナは互いに向かい合っており、そのアンテナは２つのセルをカバーしている。移動局ＵＥが移動するとき、それは異なるセルを通って移動する。もし移動体電話が呼に従事していないなら、そのことはネットワークに時々それが他のセルに移動したことを伝える。もし移動局ＵＥが呼に従事しているなら、その呼はもちろん維持される必要があるが、ＵＥは移動している。１つのセルラ無線局との通信を別のセルラ無線局で置換する処理はハンドオーバを呼ばれる。呼に従事している間でさえも、移動体電話は他のセルを走査し、それらのセルから受信する信号強度をセルラネットワークにレポートする。そのセルラネットワークはその移動体電話が徐々に別のセルに近づいているのに気づくとき、ハンドオーバ処理を開始し、その処理の間に呼は１つのセルからＲＢＳ内の別のセルに、或いは、複数のセルをもつ別のＲＢＳへと転送される。
【００４３】
ハンドオーバを実行する古典的な方法は、移動局に近接する異なる基地局から受信する電力レベルを比較する工程で構成される。それから、移動局により受信された電力レベルが最大受信電力レベルと前もって決められたファクタだけ小さくされた電力の間の範囲となるように移動局が全ての基地局とソフトハンドオーバすべきであると決定される。このファクタはデシベルで表現され、それがハンドオーバウィンドウを表現するものである。移動局が通信状態にある基地局のグループは移動局の“アクティブセット”と呼ばれるものを表現している。他の点に関しては、移動局は無限の数のリンクをサポートできないのであるから、アクティブセットのサイズは制限される。このようにして、ソフトハンドオーバの影響が２つのパラメータ、即ち、アクティブセットのサイズとハンドオーバウィンドウで作用させることで変調される。
【００４４】
図１と図２には、代表的なエア伝播遅延の差と代表的なレイク受信機ウィンドウが示されている。参照番号１、２は異なるユーザ機器であり、ＡとＢは異なるＲＲＵである。
【００４５】
Ａ１はＲＲＵ  Ａにより受信したＵＥ１からの信号であり、Ｂ１はＲＲＵ  Ｂにより受信したＵＥ２からの信号である。
【００４６】
図２とＵＥ１から分かるように、ＲＲＵでのＢ１はレイク受信機のウィンドウの外側になり、信号結合に用いられないであろう。その代わりにそれは干渉を生じさせる。
【００４７】
ＵＥ２にとって、Ａ２とＢ２とは両方ともレイク受信機ウィンドウ内にあり、うまくいく。そして、それらは信号結合に用いられ、信号品質を改善する。
【００４８】
図３と図４には、静的な解決策が示されている。即ち、ＡとＢは離れて配置される。それで、それらは異なるソフタハンドオーバグループに置かれる。その解決策とは、ＲＲＵ当たり１つのレイク受信機を割当て、第２の結合ステージ（ＭＲＣ）を用いて結果を結合することである。その欠点は、ＵＥ２に対しても２つのレイクが用いられることである。
【００４９】
図５と図６には、動的な解決策が示されており、ＵＥ遅延測定で使用するレイク受信機の数を決定する。レポートされたＵＥ遅延測定に基づいて必要とされるレイク受信機の数を割当てる。
【００５０】
図７と図８には、遅延校正が示されている。参照番号１と２は異なるユーザ機器であり、ＡとＢとは異なるＲＲＵである。
【００５１】
Ａ１はＲＲＵ  Ａにより受信されるＵＥ１からの信号である。
【００５２】
その問題点とは、エア伝播遅延がＲＲＵ  ＡとＲＲＵ  Ｂに対して同じであったとしても、２つの信号が非常に異なる時刻にレイク受信機に到達する点である。これは、非常に異なる光ファイバー長のため（ＲＦ受信機からレイクまでの）デジタル遅延に大きな差があるためである。
【００５３】
図９と図１０には、等しい遅延による解決策での遅延補償が示されている。参照番号１と２は異なるユーザ機器であり、ＡとＢとは異なるＲＲＵである。Ａ１はＲＲＵ  Ａによって受信されるＵＥ１からの信号である。これは、“遅延回路ｘ”が構成され、全てのｘ、即ち、全てのＲＲＵに対してデジタル遅延を同じにする場合である。この例では、“遅延回路Ａ”はＲＲＵ  Ａからの信号を０μｓ遅延させ、“遅延回路Ｂ”はＲＲＵ  Ｂからの信号を５０μｓ（９９８０ｍ×ファイバーの光速）遅延させる。
【００５４】
図１１と図１２には、最適遅延による解決策での遅延補償が示されている。この例では、ＲＲＵ  Ｂは屋上から下の街路に面したアンテナを備えた都市部に設置される。この時、ＡからＢへのハンドオーバ領域は非常にＢに近接している。
【００５５】
これは、ＵＥがそのハンドオーバ領域の中央にあるとき、“遅延回路ｘ”が構成され、全てのｘ、即ち、全てのＲＲＵに対してデジタル遅延＋アナログ遅延を同じにする場合である。この例では、“遅延回路Ａ”はＲＲＵ  Ａからの信号を０μｓ遅延させ、“遅延回路Ｂ”はＲＲＵ  Ｂからの信号を５０μｓ（（デジタル差）＋（ｄA−ｄB）×空中の光速）遅延させる。
【００５６】
図１３と図１４には自己学習最適化による解決策が示されている。
【００５７】
そのハンドオーバは通常セル計画に由来するものであるが、その正確な領域を決定することはしばしば難しい。
【００５８】
また、その最適化遅延調整（ｄA−ｄB）はそのハンドオーバ領域を通じて異なるかもしれない。最適調整はこれらの関係各々についての加入者の数に対して重み付けされるべきである。
【００５９】
その解決策は、ＵＥがソフタハンドオーバを要求する毎にＵＥの測定された遅延を保持し、これらの測定に基づいて最適な遅延を導き出すことである。これにより、履歴がハンドオーバ領域における加入者の分布に依存するので、同じソフタハンドオーバグループを共有するＡとＢについての可能性を本当に最適化するであろう。
【００６０】
ソフタハンドオーバグループ
この解決策はＲＢＳ内でソフタハンドオーバグループを形成することであり、ここで各グループは互いに、即ち、同じレイク受信機を用いてソフタハンドオーバを実行可能な受信機からなる。もし、ＵＥがそのアクティブセットを拡張することを望み、ＲＮＣが新しいセルの使用を認めるなら、次の選択がなされる。
【００６１】
・もし、新しいセルが、ＵＥにより用いられる別のセルとして同じソフタハンドオーバグループ内にあるなら、ソフタハンドオーバがＲＢＳに対して正常なものとして開始される。
【００６２】
・もし、新しいセルが、ＵＥにより用いられる別のセルとして同じソフタハンドオーバグループ内にないなら、ソフトハンドオーバがＲＮＣ或いはＲＢＳにおいて開始される。
【００６３】
ＲＢＳにおけるソフトハンドオーバは、別々のレイク受信機との、第２ステージの最大率での結合、或いは選択結合である。
【００６４】
この２つの場合（bullet）の間の選択は、ＲＮＣらのサポートがあってなされても良いし、ＲＢＳで局部的になされても良い。即ち、ＲＢＳがソフタハンドオーバをとるように割当てられたなら、ＲＢＳは新しいセルが他の用いられるセルのいずれかのソフタハンドオーバグループ内にあるかどうかをチェックする。もし、そうであるなら、それは既にそのソフタハンドオーバグループに割当てられているのと同じレイクを用いる。もしそうでないなら、新しいレイクがセットアップされ、２つの出力の結合がなされる。このことはＲＮＣに対して完全にトランスペアレントになされる。
【００６５】
動的ソフタハンドオーバグループ
より高度な方法は、ＵＥで測定されたＣＰＩＣＨ受信時間差を評価し、それを用いてセルをソフタハンドオーバの候補或いはソフトハンドオーバの候補としてグループ化することである。
【００６６】
ＵＥは、そのＵＥが接続するのを望むのがどの新しいセルであるかをレポートするのみならず、新しいセルのＣＰＩＣＨとそれ自身のＵＬ送信時刻との測定受信差をレポートする。ＵＬ送信時刻は専用チャネルのＤＬ送信時刻に依存するので、他のアクティブセルと比較して、ＲＮＣ或いはＲＢＳは新しいセルアンテナとＵＥとの間の相対的な伝播遅延を計算できる。
【００６７】
ＲＮＣはこの測定に基づいて、ソフタハンドオーバグループにその新しいセルを含めることも或いは含めないこともできる。或いは、ＲＮＣには影響を与えずに、その代わり、その測定が（今日のように）ＲＢＳに転送され、ＲＢＳがこの決定をしても良い。
【００６８】
ソフタハンドオーバがなされる確率を最大にするために、人工的な遅延がＲＢＳ内で付加されて、２つの信号（２つのアンテナ）がそのレイクウィンドウ内で受信されるようにするべきである。
【００６９】
通常、遅延等化（equalisation）機能は、受信機／アンテナとレイクとの間のデジタル遅延を全ての受信機／アンテナに対して同じにするように付加されるべきである。その時、エア伝播遅延における差だけが問題となる。
【００７０】
しかしながら、同じデジタル遅延をもつことはいつも最善であるとは限らない。即ち、その目標はハンドオーバ領域においてＭＳに対して同じ遅延をもたせることである。もし、アンテナの出力電力と地形が両方のアンテナに対して類似しているなら、ハンドオーバ領域はその中央にあり、等しい遅延は最適なものである。しかしながら、アンテナの傾きが異なっているか、ＣＰＩＣＨ電力が異なるか、或いは、何か他の理由のためにハンドオーバ領域がこれらの設置場所の中央にはないなら、その遅延はこのために調整されるべきである。このことはネットワーク計画においてマニュアル的になされても良いし、実際のＵＥレポートに基づいて動的になされても良い（成功するソフタハンドオーバの数を最大にするために遅延を最適化する）。
【００７１】
本発明を最も実際的で好適な実施例であると現在考えられているものに関連して説明したが、本発明は開示された実施例によって限定されるものではなく、それとは反対に添付した請求の範囲の精神と範囲の中に含まれる種々の変形例や同等の構成を含むことが意図されていることを理解すべきである。
【図面の簡単な説明】
【００７２】
【図１】代表的なエア伝播遅延の差を示す図である。
【図２】代表的なレイク受信機ウィンドウを示す図である。
【図３】、
【図４】静的な解決策を示す図である。
【図５】、
【図６】動的な解決策を示す図である。
【図７】、
【図８】遅延校正を示す図である。
【図９】、
【図１０】等しい（equal）遅延による解決策での遅延補償を示す図である。
【図１１】、
【図１２】最適遅延による解決策での遅延補償を示す図である。
【図１３】、
【図１４】自己学習最適遅延による解決策を示す図である。
【図１】
0004616249.tif 000002
【図２】
0004616249.tif 000003
【図３】
0004616249.tif 000004
【図４】
0004616249.tif 000005
【図５】
0004616249.tif 000006
【図６】
0004616249.tif 000007
【図７】
0004616249.tif 000008
【図８】
0004616249.tif 000009
【図９】
0004616249.tif 000010
【図１０】
0004616249.tif 000011
【図１１】
0004616249.tif 000012
【図１２】
0004616249.tif 000013
【図１３】
0004616249.tif 000014
【図１４】
0004616249.tif 000015